(57)【要約】【課題】  側板に配管通し部を備えさせることにより排水管などの配管を通すことができ、収納空間と設備配管類との調和を図ることを可能とする。【解決手段】  本発明では、側板に配管通し部を備えたことを特徴とする台所用キャビネットを提供する。また前記配管通し部が切り欠き部で、さらに前記切り欠き部が下方に切り欠かれた下方切り欠き部である。加えて前記台所用キャビネットの使用者のニースペースを有する台所用キャビネットを提供する。【選択図】  図１
2006055395.tif 000002
【特許請求の範囲】
【請求項１】
側板に配管通し部を備えたことを特徴とする台所用キャビネット。
【請求項２】
前記配管通し部が切り欠き部であることを特徴とする請求項１記載の台所用キャビネット。
【請求項３】
前記切り欠き部が下方に切り欠かれた下方切り欠き部であることを特徴とする請求項２記載の台所用キャビネット。
【請求項４】
前記台所用キャビネットの使用者のニースペースを有する請求項１乃至３いづれかに記載の台所用キャビネット。
【発明の詳細な説明】
【技術分野】
【０００１】
本発明は、台所用キャビネットに係り、特に配管通し部を形成する為に好適な台所用キャビネットに関する発明である。 
【背景技術】
【０００２】
従来のシステムキッチンを構成するフロアーキャビネットは、横引きの排水管や給水管等の配管があるケースを想定した、「配管スペース付きキャビネット」と、上記配管がないケースを想定した「配管スペースなしキャビネット」の２種類のタイプがあった。
（例えば特許文献１参照）
【特許文献１】特開平０８−１９６３６１号公報（図６）
【発明の開示】
【発明が解決しようとする課題】
【０００３】
現状、リフォーム現場の場合、横引き配管の有無は、設置されているキャビネットを撤去しないとわからないケースがほとんどであり、その際に、キャビネットに配管スペースがないと、予期せぬ横引き配管に対応できない為、キッチンメーカーでは配管があるケースを想定した「配管スペース付きキャビネット」と配管がないケースを想定した「配管スペース無しキャビネット」の２タイプの品揃えをせざるを得なかった。しかし、２タイプの品揃えがあってもプランナーは予期せぬ場合を考えて「配管スペース付きキャビネット」を選択する場合が多かった。しかしながら、近年の住宅事情の変化により、キッチン等の水回り設備は少ないスペースの中で設置空間をいかに確保し、効率良く、収納スペースを確保するかが課題となっている。そのような背景の中で上記のように配管がない場合でも  「配管スペース付きキャビネット」を設置する事が多い為、特に、ニースペースがついているような、足入れ空間を確保したキャビネットの場合は、足入れ空間分、収納スペースが削られている為、収納スペースを確保することが難しくなっている。
又、キッチンメーカーとしても、２種類のキャビネットを別々に品揃えする必要があり、コスト面でも製品単価を上げる要素の一つとなっていた。
本発明は、上記問題を解決するためになされたもので、本発明の課題は、システムキッチンにおいて配管がある場合とない場合の両方のニーズに対応でき、かつ、製品単価を下げる事ができるように、「配管スペースあり、なし」の仕様を兼用できる構造のキャビネットの提供にある。
【課題を解決するための手段】
【０００４】
上記目的を達成するために請求項１記載の発明によれば、キャビネット側板に配管通し部を設ける事により、収納としての空間利用か配管スペースとしての空間利用かのどちらかを選択することを可能とした。
【０００５】
請求項２記載の発明によれば、上記請求項記載のキャビネットの配管通し部を切り欠いた仕様とすることにより、横引き配管がある際に、キャビネット内で配管を通す事を可能とした。
【０００６】
請求項３記載の発明によれば、上記請求項記載のキャビネットの配管通し部を下方切り欠き仕様とすることにより、横引き配管があらかじめある際に、横引き配管に手を加える事なく、キャビネットの設置を可能とした。
【０００７】
請求項４記載の発明によれば、上記請求項記載のキャビネットにニースペースを設けた仕様とすることにより、横引き配管がない際に、ニースペースがあっても収納スペースとしての空間利用を可能とした。
【発明の効果】
【０００８】
本発明によれば、「配管スペースあり、なし」の仕様を兼用できる構造にする事で、キッチンにおけるリフォーム現場等において、予期せぬ横引き配管への対応が現場ででき、かつ、横引き配管がない場合は収納スペースとして効率的に空間を利用できるという効果がある。又、従来２つあったそれぞれの専用キャビネットを１つの兼用仕様にできる為、キッチンメーカーのキャビネット在庫を半分にする事が可能となり、在庫スペース縮小による製品単価を下げられるという効果がある。
【発明を実施するための最良の形態】
【０００９】
以下、本発明の実施の形態を、図１〜図５に基づいて説明する。
【実施例】
【００１０】
図１に本発明におけるキャビネットの第１実施例を示す。
図１におけるキャビネットは、引出し部１、扉２、左側板３、右側板４、裏板５、棚板６を有し、左側板３に切り欠き形状を施した配管通し部Ａ、右側板４に切り欠き形状を施した配管通し部Ｂを設け、横引き配管ａを配管通し空間Ｃに通したものである。左側板３に配管通し部Ａ、右側板４に配管通し部Ｂを設ける事で、リフォーム現場等で給水管や排水管等の横引き配管をキャビネット内に通す事が可能となる。又、配管通し部Ａ、配管通し部Ｂを図１のようにＩの字型の下方切り欠き部とする事で、横引き配管があらかじめある際に、横引き配管をさけて、キャビネットを上から設置する事ができる為、横引き配管に手を加える事なく、キャビネットの設置が可能となる。
次に図２、図３を用い、実施例１記載の横引き配管を通す方法を説明する。
図２は納入時におけるキャビネットの立体図、図３は図２の断面図を示し、図２、図３記載のキャビネットは裏面に棚受け用の穴加工を施した底板８と裏板１１を有し、底板８は左側板３、右側板４に固定した棚受け９で支える構造とし、裏板１１は棚板６の裏面奥の溝１０にはめ、底板８の木口にねじ１２で固定する仕様としている。
上記構造とする事で、排水管や給水管等の横引き配管がある際に、底板８の木口に固定したねじ１２を外す事により、裏板１１を外す事が可能となり、それに伴い、底板９を外す事が可能となる。底板８、裏板１１を外した状態で、初めて、左側板３、右側板４に電動ノコギリ等の工具を使用して切り欠き形状を入れる事が可能となり、配管通し部Ａ、Ｂを形成する事が可能となる。配管通し部を形成することで、実施例１のようにリフォーム現場等で給水管や排水管等の横引き配管をキャビネット内に通す事が可能となる。又、横引き配管がない場合は、底板８、裏板１１を外さない状態にする事で、配管通し空間Ｃを収納空間として利用する事が可能となる。
【００１１】
次に第２実施例を図４、図５に示す。第２実施例は第１実施例と基本構成は同じであるが第１実施例の状態では、横引き配管を通した場合では配管が露出した状態になる為、配管を隠すために、受け木１３を左側板３、右側板４にそれぞれねじ１４で固定し、化粧板１５を棚板６の裏面手前の溝１６にはめ込み、手前から受け木１３に対しねじ１７で固定することで、配管を隠す事が可能となり、扉２をあけた状態でも配管が見えないので見栄えが向上する。
なお、本実施例では施工時に配管通し部を備えたが、工場出荷時に予め配管通し部を備えておき、底板８、棚受け９、化粧板１５を付属品としても良い。
【図面の簡単な説明】
【００１２】
【図１】本発明のキャビネットの横引き配管を通した状態における立体図を示す。
【図２】本発明のキャビネットの納入状態における立体図を示す。
【図３】本発明のキャビネットの納入状態における断面図を示す。
【図４】本発明のキャビネットの横引き配管を通し、配管を隠した状態における              立体図を示す。
【図５】本発明のキャビネットの横引き配管を通し、配管を隠した状態における              断面図を示す。
【符号の説明】
【００１３】
１…引出し
２…扉
３…左側板
４…右側板
５…裏板
６…棚板
７…裏板
８…底板
９…棚受け
１０…溝
１１…裏板
１２…ねじ
１３…受け木
１４…ねじ
１５…化粧板
１６…溝
１７…ねじ
ａ…横引き配管
Ａ…配管通し部
Ｂ…配管通し部
Ｃ…配管通し空間
【図１】
2006055395.tif 000003
【図２】
2006055395.tif 000004
【図３】
2006055395.tif 000005
【図４】
2006055395.tif 000006
【図５】
2006055395.tif 000007